(57)【要約】      （修正有）【課題】回路遮断装置を提供する。【解決手段】回路遮断装置は、筐体面を含むカセットと、当該筐体面に回転可能に取り付けられ、その上に配列された第１端子筐体４０を含み、少なくとも第１位置と第２位置との間で回転可能な、カセット側端子台３０と、ラックイン操作中に当該カセット内に取り外し可能に挿入されるように構成された回路遮断器と、回路遮断器側端子台であって、当該カセット側端子台３０が第１位置にある時、及びラックイン操作が少なくとも部分的に完了した時、当該第１端子筐体４０と位置的に連携するために当該回路遮断器側端子台の上に配列された第２端子筐体を備える。【選択図】図２Ｂ
2009259828.tif 000002
【特許請求の範囲】
【請求項１】
回路遮断装置において、
筐体面（１２、１３、１４、１５）を含むカセット（１１）と、
前記カセットの前記筐体面に回転可能に取り付けられ、その上に配列された第１端子筐体（４０）を含み、少なくとも第１位置と第２位置との間で回転可能な、カセット側端子台（３０）と、
ラックイン操作中に前記カセット内に取り外し可能に挿入されるように構成された回路遮断器（２０）と、
回路遮断器側端子台（５０）であって、前記カセット側端子台が第１位置にある時、及びラックイン操作が少なくとも部分的に完了した時、前記第１端子筐体と位置的に連携するために前記回路遮断器側端子台の上に配列された第２端子筐体（６０）を備え、前記回路遮断器に取り付けられた回路遮断器側端子台（５０）と
を備えることを特徴とする、回路遮断装置。
【請求項２】
前記カセット（１１）の前記筐体面（１２、１３、１４、１５）は筐体の上面であることを特徴とする、請求項１に記載の回路遮断装置。
【請求項３】
前記カセット（１１）の前記筐体面（１２、１３、１４、１５）は筐体の側面であることを特徴とする、請求項１に記載の回路遮断装置。
【請求項４】
前記第１及び第２端子筐体（４０、６０）は、それぞれ雌及び雄の端子筐体であることを特徴とする、請求項１乃至３のいずれか１項に記載の回路遮断装置。
【請求項５】
前記第１及び第２位置は、それぞれ稼働位置（３３）及び配線位置（３４）であることを特徴とする、請求項４に記載の回路遮断装置。
【請求項６】
前記雌端子筐体（４０）はそれぞれ、内部の雌端子（４１）を支持し、前記雌端子筐体のそれぞれの保護カバー（４５）を更に備えることを特徴とする、請求項５に記載の回路遮断装置。
【請求項７】
前記カセット側端子台（３０）及び前記回路遮断器側端子台（５０）はそれぞれ、ラックイン操作中に連携するように構成されたアライメント部材（１３０）を備えることを特徴とする、請求項１乃至６のいずれか１項に記載の回路遮断器。
【請求項８】
前記カセット側端子台（３０）及び前記回路遮断器側端子台（５０）はそれぞれ、ラックイン操作中に連携するように構成された付勢係止要素（１４０）を備えることを特徴とする、請求項１乃至７のいずれか１項に記載の回路遮断器。
【請求項９】
回路遮断装置において、
外部構造を有し、筐体面（１２、１３、１４、１５）を含むカセット（１１）と、
カセット側端子台（３０）であって、少なくとも稼働位置（３３）と配線位置（３４）との間で前記カセット側端子台がその周囲を回転するヒンジ（８１）によって前記筐体面に取り付けられている、カセット側端子台と、
前記カセット側端子台の上に配列された一式の雌端子筐体（４０）と、
ラックイン操作中に、前記カセットとの接続位置（３６）に取り外し可能に挿入されるように構成された回路遮断器（２０）と、
前記回路遮断器に取り付けられた回路遮断器側端子台（５０）と、
前記カセット側端子台が稼働位置にある時、及び前記ラックイン操作が少なくとも部分的に完了した時、前記雌端子筐体と位置的に連携するために、前記回路遮断器側端子台の上に配列された一式の雄端子筐体（６０）とを備えることを特徴とする、回路遮断装置。
【請求項１０】
回路遮断装置において、
外部構造を有し、筐体面（１２、１３、１４、１５）を含むカセット（１１）と、
カセット側端子台（３０）であって、少なくとも稼働位置（３３）と配線位置（３４）との間で前記カセット側端子台がその周囲を回転するヒンジ（８１）によって前記筐体面に取り付けられている、カセット側端子台と、
前記カセット側端子台の上に配列された一式の雌端子筐体（４０）と、
ラックイン操作中に、前記カセットとの切断位置から少なくともテスト位置（３５）及び接続位置（３６）へ取り外し可能に挿入されるように構成された回路遮断器（２０）と、
前記回路遮断器に取り付けられた回路遮断器側端子台（５０）と、
前記カセット側端子台が稼働位置にある時、及び前記ラックイン操作が少なくともテスト位置及び／又は接続位置にある時、前記雌端子筐体と位置的に連携するために、前記回路遮断器側端子台の上に配列された一式の雄端子筐体（６０）とを備えることを特徴とする、回路遮断装置。
【発明の詳細な説明】
【技術分野】
【０００１】
本発明の態様は、引出形回路遮断器を対象とし、より具体的には、二次分離端子台が回転可能な引出形回路遮断器を対象とする。
【背景技術】
【０００２】
回路遮断器は、様々な工業用、商業用、又は個人向けの電気的アプリケーションにおいて高アンペア電流を遮断することができ、一般的に、引出形の回路遮断器及び固定形の回路遮断器として分類できる。その容積において、両タイプの回路遮断器は、回路、特にスペースが限られた配電盤に取り付けられる。そのようなものとして、接近可能性を犠牲にすることなく、より小型の部品を備えた両タイプの回路遮断器を作製することが望ましい。
【０００３】
従来の引出形回路遮断器において、主電源回路に取り付けられたカセットと、このカセットに引き込み及び引き出される回路遮断器とを形成することにより、小型化が達成されてきた。二次制御回路については、回路遮断器の二次制御回路用に適切な電気的接続を形成するために回路遮断器の固定形二次端子台と連携する固定形二次端子台が、カセットに設けられている。しかしながら、上記の空間的制限があり、カセットの端子台が従来の回路遮断器のカセットに対して固定されているため、取り付け完了したカセットの端子台の配線処理をオペレータが行うことは難しく、あるいは不可能かもしれない。
【先行技術文献】
【特許文献】
【０００４】
【特許文献１】米国特許第５，５９４，２２１号
【発明の概要】
【課題を解決するための手段】
【０００５】
本発明の一態様によれば、回路遮断装置が提供され、この回路遮断装置は、筐体面を含むカセットと、前記カセットの前記筐体面に回転可能に取り付けられ、その上に配列された第１端子筐体を含み、少なくとも第１位置と第２位置との間で回転可能な、カセット側端子台と、ラックイン操作中に前記カセット内に取り外し可能に挿入されるように構成された回路遮断器と、回路遮断器側端子台であって、前記カセット側端子台が第１位置にある時、及びラックイン操作が少なくとも部分的に完了した時、前記第１端子筐体と位置的に連携するために前記回路遮断器側端子台の上に配列された第２端子筐体を備え、前記回路遮断器に取り付けられた、回路遮断器側端子台とを備える。
【０００６】
本発明の別の態様によれば、回路遮断装置が提供され、この回路遮断装置は、外部構造を有し、筐体面を含むカセットと、カセット側端子台であって、少なくとも稼働位置と配線位置との間で前記カセット側端子台がその周囲を回転するヒンジによって前記筐体面に取り付けられている、カセット側端子台と、前記カセット側端子台の上に配列された一式の雌端子筐体と、ラックイン操作中に、前記カセットとの接続位置に取り外し可能に挿入されるように構成された回路遮断器と、前記回路遮断器に取り付けられた回路遮断器側端子台と、前記カセット側端子台が稼働位置にある時、及び前記ラックイン操作が少なくとも部分的に完了した時、前記雌端子筐体と位置的に連携するために、前記回路遮断器側端子台の上に配列された一式の雄端子筐体とを備える。
【０００７】
本発明の別の態様によれば、回路遮断装置が提供され、この回路遮断装置は、外部構造を有し、筐体面を含むカセットと、カセット側端子台であって、少なくとも稼働位置と配線位置との間で前記カセット側端子台がその周囲を回転するヒンジによって前記筐体面に取り付けられている、カセット側端子台と、前記カセット側端子台の上に配列された一式の雌端子筐体と、ラックイン操作中に、前記カセットとの切断位置から少なくともテスト位置及び接続位置へ取り外し可能に挿入されるように構成された回路遮断器と、前記回路遮断器に取り付けられた回路遮断器側端子台と、前記カセット側端子台が稼働位置にある時、及び前記ラックイン操作が少なくともテスト位置及び／又は接続位置にある時、前記雌端子筐体と位置的に連携するために、前記回路遮断器側端子台の上に配列された一式の雄端子筐体とを備える。
【０００８】
本発明の技術により、更なる特徴および利点がもたらされる。本明細書において本発明のその他の実施形態および態様を詳述するが、それらは特許請求の範囲に記載の発明の一部と考えられる。以下の説明および添付図面を参照することによって、本発明の特徴および利点が更に明らかとなる。  本発明とみなされる主題について、本明細書の結びの特許請求の範囲において特に明示するとともに請求を行う。本発明の上述およびその他の態様、特徴、および利点は、添付図面に関連した以下の詳細な説明から明らかとなる。
【図面の簡単な説明】
【０００９】
【図１Ａ】本発明の実施形態に基づく引出形回路遮断器の斜視図である。
【図１Ｂ】本発明の実施形態に基づく引出形回路遮断器の斜視図である。
【図２Ａ】図１Ａ及び１Ｂの回路遮断器のカセットの斜視図である。
【図２Ｂ】図１Ａ及び１Ｂの回路遮断器のカセット側端子台の斜視図である。
【図３Ａ】図２Ａ及び２Ｂのカセット側端子台の拡大図である。
【図３Ｂ】図２Ａ及び２Ｂのカセット側端子台の拡大図である。
【図４Ａ】本発明の第２の実施形態に基づく引出形回路遮断器の斜視図である。
【図４Ｂ】本発明の第２の実施形態に基づく引出形回路遮断器の斜視図である。
【図５】本発明の実施形態に基づく雄及び雌の端子筐体の斜視図である。
【図６】図５Ａ及び５Ｂの雄及び雌の端子筐体の間の連携係合の側面断面図である。
【図７】図１Ａ及び１Ｂの回路遮断器の回路遮断器側端子台の側面断面図である。
【図８】図１Ａ及び１Ｂの回路遮断器の回路遮断器側端子台の斜視図である。
【図９】本発明の実施形態に基づく配列及び係止状態の図である。
【発明を実施するための形態】
【００１０】
図１Ａ、１Ｂ、２Ａ、２Ｂ、３Ａ及び３Ｂを参照すると、引出形回路遮断装置１が提供される。回路遮断装置１は、配電盤（図示せず）に取り付け可能なカセット１１と、回路遮断器２０とを含み、回路遮断器２０は、オペレータ又はユーザによって行われるラックイン操作の間、カセット１１に取り外し可能に挿入される。カセット１１は、少なくとも４つの筐体面１２、１３，１４，１５，及び背面１６を含む外部構造を有する。筐体面は共に配置されて、回路遮断器２０が取り外し可能に挿入される内部領域を形成する。カセット側端子台３０は、筐体面のうちの１つ、例えば筐体面１３に、回転軸３２に沿って延在する一式のピボットボス３１によって、取り付けられている。従って、カセット側端子台３０は、少なくとも第１（すなわち、稼働）位置３３と第２（すなわち、配線）位置３４との間で、回転軸３２の周囲を回転するように構成されている。  ここで、筐体面１３はカセット１１の上面であるが、本発明の実施形態は、カセット側端子台３０が別の筐体面、例えば筐体面１２又は１４にも、上記と類似の方法で取り付けられるところに存在すると理解される。例えば、図４Ａ及び４Ｂに示すように、カセット側端子台３０は筐体面１２に取り付けられていてもよい。
【００１１】
図２Ａ、２Ｂ、３Ａ及び３Ｂを更に参照し、図５Ａ及び５Ｂを追加で参照すると、一式の雌端子筐体４０がカセット側端子台３０の上に配列されている。各々の雌端子筐体４０は、カセット側端子台３０に一体に接続されていてもよく、内部の雌端子４１を支持していてもよい。各々の雌端子筐体４０に保護カバー４５が設けられている。ここで、本発明の実施形態において、保護カバー４５は、例えば、取り外し可能なＩＰ２０保護カバー、又はその他の適切な保護カバーを含んでもよい。
【００１２】
各々の雌端子筐体４０は、切断位置の外部位置での回路遮断器２０との配線処理の間にオペレータによって回される端子ネジ４２を有するネジ形の端子を含んでもよい。これらの配線処理は、カセット１１の前部でオペレータによって、カセット側端子台３０が取り付けられている筐体面に対して回転して各々の端子ネジ４２に接近可能な配線位置３４になることによって、実行される。この目的を達成するために、保護カバー４５は、オペレータが対応する端子ネジ４２に接近できるように形成されたスルーホール４６を含む。
【００１３】
図１Ａ、１Ｂ、４Ａ及び６に戻って参照すると、回路遮断器２０は、切断位置から少なくともテスト位置３５（図６参照）に取り外し可能に挿入され、その後ラックイン操作の接続位置３６（図４Ａ参照）に取り外し可能に挿入されてもよい。図に示すように、回路遮断器２０は、カセット１１の内部領域の形状とほぼ対応する外形と、オペレータが内部部品２２に接近できるような前面２１とを有する。
【００１４】
回路遮断器側端子台５０は、回路遮断器２０の面２３に取り付けられている。一式の雄端子筐体６０は、回路遮断器側端子台５０の上に配列されている。一式の雄端子筐体６０は、回路遮断器側端子台５０によって、雌端子筐体４０と位置的に連携するように位置決めされる。具体的には、一式の雄端子筐体６０は、カセット側端子台３０が稼働位置についた時、及びラックイン操作が少なくともテスト位置３５及び／又は接続位置３６で完了した時、雌端子筐体４０と位置的に連携する。更に、一式の雄端子筐体６０は、カセット側端子台３０が配線位置３４にある時、雌端子筐体４０と位置的に連携していない。
【００１５】
図１Ａ、１Ｂ，５Ａ及び５Ｂを参照すると、本発明の実施形態に基づいて、回路遮断器２０は更にカバー８０を含んでもよい。カバー８０は、回路遮断器側端子台５０の前部を覆うように構成されており、ヒンジ８１によって回路遮断器２０又は回路遮断器側端子台５０に取り付けられている。このように、カバー８０は、回路遮断器側端子台５０に前面から接近できるように、ヒンジ８１の周囲を回転できるようになっている。
【００１６】
図５Ａ及び５Ｂを更に参照し、図７及び図８を追加で参照すると、雄端子筐体６０は一式の雄端子７０を受容するように構成されており、これらはコネクタ７１によって支持されてもよいことがわかる。ここで、雄端子７０は雄端子筐体６０の内部に予め実装されていてもよく、あるいは必要に応じていつでもまとめて又は個別に実装されてもよいことが理解される。例えば、本発明の実施形態において、図５Ｂ及び６に示すように、一式の雄端子７０は、付属プラグ７５として構成されていてもよい。ここで、付属プラグ７５は、雄端子７０に圧着された付属プラグケーブル７６を備えたスナップイン構成の雄端子筐体６０の中に受容される。付属プラグケーブル７６はその後、回路遮断器側端子台５０とカバー８０の間の雄端子筐体６０から開口部７７を通じて引き出されてもよい。
【００１７】
図５Ａ及び７を参照すると、回路遮断器２０は、回路遮断器側端子台５０がラックイン操作中にガイドピン９０に沿って摺動するようになっているガイドピン９０と、ラックイン操作中に回路遮断器側端子台５０を支持するカム１００とを含む。ガイドピン９０は、回路遮断器２０の第１構造支持体９１に一体に接続され、ラックイン操作中の回路遮断器２０の移動方向とほぼ平行に延在する。カム１００はバネ１０１の遠位端によって支持され、バネ１０１は回路遮断器２０の第２構造支持体１０２に接続されている。カム１００は、ラックイン操作の現段階に応じて、バネ１０１によって付勢されて傾斜部１０３の後部端１０３ａ及び前部端１０３ｂの両方と連携的に嵌合し、傾斜部１０３は回路遮断器側端子台５０の底面側に接続されている。
【００１８】
図１Ａ、１Ｂ及び６を参照すると、ラックイン操作中は、上記のように、回路遮断器２０はまず切断位置からテスト位置３５に移動する。ここで、少なくとも雌端子筐体４０は、少なくとも雄端子筐体６０と接触するようになる。この位置から、回路遮断器２０が更にカセット１１内に摺動するにつれて、回路遮断器側端子台５０がガイドピン９０に沿って摺動し、カム１００と傾斜部１０３の後部端１０３ａとの連携的嵌合によって、回路遮断器２０が接続位置３６に到達するまで付勢されて、ガイドピン９０と揃ったままになる。この時点で、カム１００と傾斜部１０３の前部端１０３ｂとの連携的嵌合によってカム１００は端子台係止位置まで付勢されるが、これは回路遮断器２０が接続位置３６に到達する直前に達成される。
【００１９】
本発明の実施形態によれば、回路遮断器２０のカセット１１への取り外し可能な挿入を容易にするために、カセット側端子台３０はカセット１１から取り外し可能であってもよく、雌端子筐体４０は筐体面１３に対して浮くように構成されていてもよい。カセット側端子台３０の取り外しは、端子台ネジ（図示せず）を外して、ピボットボス３１からカセット側端子台３０を持ち上げることによって達成される。雌端子筐体４０を浮かせることは、雌端子筐体４０の台を、中にカセット側端子台３０の突起部が延在するスロットが形成されたカセット側端子台３０のブラケットに、段付きネジで留めることによって達成される。このように、突起部をスロットと連携させて雌端子筐体４０の台を浮かせるようにしながら、段付きネジはカセット側端子台３０をブラケットに固定する。
【００２０】
図９Ａ及び９Ｂを参照すると、回路遮断器２０が接続位置に到達した時、回路遮断器側端子台５０とカセット側端子台３０の付勢係止要素１１０及び１２０は、相互に連携的に嵌合する。ここで、付勢係止要素１１０及び１２０は、二次切断を形成するため、回路遮断器側端子台５０とカセット側端子台３０とを相互に係止する。
【００２１】
本発明の実施形態によれば、付勢係止要素１１０及び１２０はそれぞれ、ラックイン操作中に連携するように構成されたアライメント部材１３０と、回路遮断器２０が接続位置３６に到達すると連携するように構成された係止部材１４０とを含む。ここで、アライメント部材１３０と係止部材１４０の両方がバネ仕掛けになっていてもよい。つまり、アライメント部材１３０は、カセット側端子台３０に取り付けられたプラスチック延伸部１３２の比較的急角度の面１３１と、回路遮断器側端子台５０に取り付けられた弾性延伸部１３４の比較的急角度の面１３３とを含んでもよい。同様に、係止部材１４０は、プラスチック延伸部１３２の比較的緩角度の面１３５と、弾性延伸部１３４の比較的緩角度の面１３６とを含んでもよい。
【００２２】
本発明の多様な態様によれば、回路遮断器に使用可能な雄雌端子の数は、与えられた空間的制限において現在可能な数を超えて増加してもよい。つまり、カセット側端子台３０と回路遮断器側端子台５０は、それぞれ２つの個別の台３０ａ、３０ｂ、５０ａ及び５０ｂを含んでもよい。ここで、個別の台３０ａ、３０ｂ、５０ａ及び５０ｂは更に、それぞれ３列×１３行の雌及び雄端子筐体４０及び６０を含んでもよい。
【００２３】
上記の実施形態は、カセット側端子台３０及び回路遮断器側端子台５０にそれぞれ配列されている雌端子筐体４０及び雄端子筐体６０を部分的に特徴とするが、この位置は部分的又は全体的に逆転させることが可能であると理解される。部分的に逆転された場合、各々の端子台は多様な組み合わせ及びパターンで雄及び雌両方の端子筐体を支持できる。
【００２４】
本発明を例示的実施形態に照らして説明してきたが、当業者には明らかなように、本発明の範囲内においてこれらを様々に改変すること、および等価物に代替することが可能である。更に、本発明の本質から逸脱することなく、本発明の教示内容を特定の条件または材料に適合するよう様々に改変することができる。従って、本発明の開示内容は、本発明を実行することを考えた最良の実施形態として記載した特定の例示的実施形態に限定されず、添付の特許請求の範囲に含まれるあらゆる実施形態を包含するものとする。
【図１Ａ】
2009259828.tif 000003
【図１Ｂ】
2009259828.tif 000004
【図２Ａ】
2009259828.tif 000005
【図２Ｂ】
2009259828.tif 000006
【図３Ａ】
2009259828.tif 000007
【図３Ｂ】
2009259828.tif 000008
【図４Ａ】
2009259828.tif 000009
【図４Ｂ】
2009259828.tif 000010
【図５】
2009259828.tif 000011
【図６】
2009259828.tif 000012
【図７】
2009259828.tif 000013
【図８】
2009259828.tif 000014
【図９】
2009259828.tif 000015